(57)【特許請求の範囲】
【請求項１】
夫々性状の異なる給水源に連絡する複数の給水路と、各々の給水路に配される電磁弁と、該電磁弁下流にて前記給水路を合流させる吐水部とを有し、前記電磁弁を択一的に開閉するように構成された水栓装置において、
電磁弁の閉動作を行うための電気的な処理である閉通電終了から電磁弁の開動作を行うための電気的な処理である開通電開始の間に通電を禁止する通電禁止時間を設け、
一つの電磁弁の前記閉通電から開通電の間の通電禁止時間は、前記一つの電磁弁と別の電磁弁との間での前記閉通電から開通電の間の通電禁止時間よりも短いことを特徴とする水栓装置。
【請求項２】
請求項１記載の水栓装置において、
いずれの電磁弁が選択されているかの表示を発光手段により行い、前記通電禁止時間中は、吐水中とは異なる表示を行うことを特徴とする水栓装置。
【請求項３】
請求項２記載の水栓装置において、
吐水中の表示は点灯であり、通電禁止時間中の表示は点滅であることを特徴とする水栓装置。
【請求項４】
請求項２記載の水栓装置において、
発光手段の点滅により表示を行い、吐水中と禁止中では、点滅周波数を異ならせたことを特徴とする水栓装置。
【請求項５】
請求項２記載の水栓装置において、
発光手段の点滅により表示を行い、吐水中と禁止中では、点滅デューティー比を異ならせたことを特徴とする水栓装置。
【請求項６】
請求項１記載の水栓装置において、
給水弁を択一的に開閉指示するための選択スイッチを設け、通電禁止時間は前記選択スイッチを受け付けないことを特徴とする水栓装置。
【請求項７】
請求項１記載の水栓装置において、
給水路内の圧力を検出する圧力検出手段を備え、水圧に応じて通電禁止時間を調整することを特徴とする水栓装置。
【請求項８】
請求項７記載の水栓装置において、
水圧が低い程、通電禁止時間を長くすることを特徴とする水栓装置。
【請求項９】
請求項１記載の水栓装置において、
給水路内を通過する流量を検出する流量検出手段を備え、流量に応じて通電禁止時間を調整することを特徴とする水栓装置。
【請求項１０】
請求項９記載の水栓装置において、
流量が所定値以下になると、通電禁止時間を終了することを特徴とする水栓装置。
【発明の詳細な説明】
【０００１】
【発明の属する技術分野】
本発明は、性状の異なる給水を択一的に選択して使用する水栓装置に関する。
【０００２】
【従来の技術】
従来より、水、湯、あるいはこれらを混合した混合湯など複数の給水管に対してそれぞれに電磁弁をつけ、ひとつの吐水口から吐水するように構成し、電気的に吐水、止水および吐水温度の制御を行う水栓装置の考案が多数成されている。
【０００３】
例えば、水と湯の二つの給水路を持ち、それぞれに電磁弁を設け、水または湯のいずれかをスイッチ操作によって吐水する装置の場合を考える。スイッチ操作によってある温度の吐水がセットされると、選択された電磁弁を通電し吐水を行う。
【０００４】
表示装置としては視認性の良さからＬＥＤを使用し、水には緑色、湯には赤色のＬＥＤを対応させ、吐水モードとして選択されているＬＥＤを点灯させるという方法が一般的である。例えば「吐水開始・停止スイッチ」（以下、出止ＳＷ）と「湯・水切替スイッチ」（以下、湯水ＳＷ）の２つのスイッチを付ける。湯水ＳＷを押すと、水の緑ＬＥＤ、湯の赤ＬＥＤの点灯が切り替わる。緑ＬＥＤが点灯しているときに吐水ＳＷを押すと水が、赤ＬＥＤが点灯しているときに吐水ＳＷを押すと湯が吐水される。
【０００５】
また、どちらかの吐水中にもう一方の温度の吐水を選択すると、吐水中の電磁弁を閉じ、新たに選択された給水路の電磁弁を開く制御を行う。
【０００６】
従来の水栓装置の構成図を図２６に、その内部に含まれる回路図を図２７に示す。
【０００７】
図２７において、１は電源回路、２はマイクロコンピュータ（以下、マイコン）、３は水の給水１１２路にある水側電磁弁１０５の駆動回路、４は湯の給水路にある湯側電磁弁１０４の駆動回路である。
【０００８】
５は水側に対応する緑のＬＥＤで、６は湯側に対応する赤のＬＥＤ、抵抗７、８はそれぞれのＬＥＤの電流制限抵抗であり、それぞれのＬＥＤ５、６はマイコン２によってＯＮ／ＯＦＦ制御される。また、９は吐水の開始・停止を行う操作スイッチ（以下、出止ＳＷ）、１０は湯と水のモードの切り替えを行う操作スイッチ（以下、湯水ＳＷ）で、それぞれ抵抗１１、１２でプルアップされ、マイコン２に入力されてＯＮ／ＯＦＦ状態が読みとられる。
【０００９】
１３はマイコン２のシステムクロックを発生する発振子である。１４は水の給水路を１１２開閉する水側電磁弁１０５のソレノイドであり、トランジスタ１５によりソレノイド１４に通電すると水側電磁弁１０５が開き、通電を停止すると水側電磁弁１０５は閉じる。
【００１０】
１６は湯の給水路１１１を開閉する湯側電磁弁１０４のソレノイドであり、トランジスタ１７によりソレノイド１６に通電すると湯側電磁弁１０４が開き、通電を停止すると湯側電磁弁１０４は閉じる。
【００１１】
動作を図２８のフローチャートを用いて説明する。まず、湯水ＳＷ１０がＯＦＦからＯＮに切り替わったかチェックする（Ｓ００１）。湯水ＳＷは押されるとＯＦＦからＯＮに変化する。ＯＮからＯＦＦの離された時の変化は見ない。
【００１２】
湯水ＳＷ１０がＯＦＦからＯＮに変化した場合は、水モードかチェック（Ｓ００２）し、水モードであった場合は湯モードに（Ｓ００３）、湯モードであった場合は水モードに変更する（Ｓ００４）。すなわち、湯と水のモードを入れ替える。湯水ＳＷ１０のＯＦＦからＯＮの変化がなかった場合はそのまま次（Ｓ００５）へ進む。
【００１３】
次に出止ＳＷ９が  ＯＦＦからＯＮに切り替わったかチェックする（Ｓ００５）。出止ＳＷ９がＯＦＦからＯＮに変化した場合は、吐水モードかチェック（Ｓ００６）し、吐水モードであった場合は止水モードに（Ｓ００７）、止水モードであった場合は吐水モードに変更する（Ｓ００８）。すなわち、吐水と止水のモードを入れ替える。出止ＳＷ９のＯＦＦからＯＮの変化がなかった場合はそのまま次（Ｓ００９）へ進む。
【００１４】
以上でＳＷ入力の処理が終わり、次に設定されたモードに応じた吐水・止水状態への駆動に移る。ステップＳ００９で吐水モードか止水モードかをチェックし、吐水モードであればステップＳ０１０で水のモードか湯のモードかをチェックする。これらの処理により、水及び湯の吐水要求フラグのセット、リセットを行う（Ｓ０２１、Ｓ０３１、Ｓ０４１）。モードに応じて、吐水すべき側の吐水要求フラグがセットされ、止水すべき側の吐水要求フラグがリセットされる。
【００１５】
止水モードでは水・湯共に吐水要求フラグがリセットされる（Ｓ０２１）。次に、水側電磁弁１０５が閉じているかチェックし（Ｓ０２２）、開いていれば水側電磁弁１０５の通電をＯＦＦし（Ｓ０２３）、湯側電磁弁１０４が閉じているかチェックし（Ｓ０２４）、開いていれば湯側電磁弁１０４の通電をＯＦＦする（Ｓ０２５）。
【００１６】
そして水モードかチェックし（Ｓ０２６）、モードに応じて水または湯のＬＥＤ５、６を点灯する（Ｓ０２７、Ｓ０２８）。そして、プログラムループの先頭であるステップＳ００１に戻る。
【００１７】
水の吐水モードでは水の吐水要求フラグがセットされ、湯の吐水要求フラグがリセットされる（Ｓ０３１）。次に、湯側電磁弁１０４が閉じているかチェックし（Ｓ０３２）、開いていれば湯側電磁弁１０４の通電の通電をＯＦＦし（Ｓ０３３）、水側電磁弁１０５が開いているかチェックし（Ｓ０３４）、閉じていれば水側電磁弁１０５の通電をＯＮする（Ｓ０３５）。そして水側ＬＥＤ５を点灯し（Ｓ０３６）、先頭であるステップＳ００１に戻る。
【００１８】
湯吐水モードでは湯の吐水要求フラグがセットされ、水の吐水要求フラグがリセットされる（Ｓ０４１）。次に、水側電磁弁１０５が閉じているかチェックし（Ｓ０４２）、開いていれば水側電磁弁１０５の通電をＯＦＦし（Ｓ０４３）、湯側電磁弁１０４が開いているかチェックし（Ｓ０４４）、閉じていれば湯側電磁弁１０４の通電をＯＮする（Ｓ０４５）。そして湯側ＬＥＤ６を点灯し（Ｓ０４６）、プログラムループの先頭であるステップＳ００１に戻る。
【００１９】
【発明が解決しようとする課題】
しかしながら、上述のような吐水を切り替えるタイプの水栓装置では以下のような不都合が生じる場合がある。
【００２０】
例えば、湯の吐水中に水への切り替え操作が行われた場合、湯側電磁弁１０４をＯＦＦして水側電磁弁１０５をＯＮする。しかし、電磁弁の動作では、電気的なＯＮ／ＯＦＦと水の吐水・止水までには時間的な遅れが生じる。これを図２９に示す。これは、弁の一次側、二次側の圧力差によって弁が作動するためである。吐水時の遅れ時間は短いが、止水時の遅れは長く、また、水圧が低い程長くなる傾向がある。
【００２１】
このような特性を持つ２つの電磁弁の切り替えの際には、電磁弁の作動に要する時間によって、止水の動作を行っている方と、これから吐水を開始する方の２つの電磁弁の吐水が重なり、短時間ではあるが、大流量の吐水となる場合がある。この様子を図３０に示す。吐水口から急に大流量の吐水があると、吐水が洗面器から飛び出す、激しい水はねが起きる、または使用者が驚くといった不具合が生じる。
【００２２】
【課題を解決するための手段およびその作用・効果】
請求項１の発明によれば、定流量弁を設けることにより吐水量が一定に制限されるため切り替え時の吐水の飛び出しを防止出来る。
【００２３】
請求項２乃至請求項３の発明によれば、電磁弁の通電禁止時間を長くすることにより、何らコストアップ無しに、飛び出しを防止し、吐水の切り替えを確認することが出来る。
【００２４】
更に、請求項４の発明によれば、同種の電磁弁の通電禁止時間は、異種の電磁弁の通電禁止時間よりも短く設定することにより操作の不快感を防止出来る。
【００２５】
また、請求項５乃至請求項８の発明によれば、切り替え中の表示を吐水中の表示と変えることにより視覚的に切替動作中であることが確認出来、通電禁止時間中のスイッチの再押し等の誤操作を防止出来る。
【００２６】
また、請求項９の発明によれば、通電禁止時間に切り替えスイッチの入力を禁止することにより、誤操作を完全に防止出来る。
【００２７】
また、請求項１０乃至請求項１１の発明によれば、電磁弁の動作時間は水圧に依存することを利用して、水圧に応じて通電禁止時間を制御することにより、最適な切替動作が広範囲な条件で保証される。
【００２８】
また、請求項１２の発明のように、流量を検出する装置を用いることによっても、最適な切り替え時間の制御が可能となる。
【００２９】
【発明の実施の形態】
図１に本発明の第１の実施形態のフローチャートに係る水栓装置の構成を、図２のタイミングチャートにそのときのタイミングと流量を示す。なお、回路図は図２７に、制御フローは図２８に示したフローチャートとそれぞれ同じである。
【００３０】
図１で湯の給水路１１１に湯側電磁弁１０４を設け、水の給水路１１２に水側電磁弁を設け、その下流側に湯の給水路１１１と水の給水路１１２が合流する吐水部１１３が設けられ、その下流には水栓本体１０１が接続されている。吐水部１１３には定流量弁１２０が設けられている。定流量弁は水圧が高いほど流路面積を絞ることで流量を一定量に制限する。
【００３１】
図２において、水の吐水が終了しないうちに湯の吐水が開始する。しかし、定流量弁により合計の吐水量は制限されるので、湯側の吐水開始が水の吐水終了に合わせるかたちで制限され、一定の吐水量を越えないため、吐水口から水が飛び出すことは無い。
【００３２】
図３乃至図５に本発明の第２の実施形態に係る水栓装置のフローチャート及びタイミングチャートを示す。なお、水栓の構成図は図２６、回路図は図２７に示すものと、それぞれ同じである。
【００３３】
図３において、従来のフローチャートの図２８と同様のはたらきのステップは同じステップ番号を振っている。よって、異なる部分のみ説明する。
【００３４】
ステップＳ０２３後、ステップＳ１２１で止水時間をカウントするタイマーをスタートさせる。このタイマーにより電磁弁をＯＦＦして、どれだけ時間が経過したかが分かる。湯側電磁弁１０４をＯＦＦした場合（Ｓ０２５）も同様に止水時間をカウントするタイマーをスタートさせる（Ｓ１２２）。ステップＳ１３１、ステップＳ１４１も同様である。
【００３５】
そして、水の通電ＯＮ（Ｓ０３５）、湯の通電ＯＮ（Ｓ０４５）の前に、止水時間が１秒経過しているかチェックする。１秒以下の場合は通電ＯＮを行わず、ＬＥＤの表示処理をしてステップＳ００１に戻る。１秒経過している場合に通電ＯＮを行う。
【００３６】
このような処理により、通電ＯＦＦから通電ＯＮの間に１秒間の通電禁止時間が設定される。この時のタイミングチャートは図４のようになり、吐水は水側が一旦止水して湯側の吐水が始まるので、吐水が飛び出すことは無い。
【００３７】
通電禁止時間Ｔ１とは、一つの電磁弁の閉動作を行うための電気的な処理から別の電磁弁の開動作を行うための電気的な処理の間に、電磁弁への電気的な処理を行わない時間を設けることである。つまり、電磁弁としてＡＣソレノイドを使用した場合には一つの電磁弁への通電ＯＦＦから所定時間の間は、別の電磁弁への通電が禁止される時間を設けることである。また、電磁弁としてラッチングソレノイドを使用した場合には、一つの電磁弁への閉通電から所定時間の間は別の電磁弁への開通電が禁止される時間を設けることである。以下の実施形態では、電磁弁としてＡＣソレノイドを使用した場合を示している。
【００３８】
また、切り替わり時に吐水量が減少するため、切り替わり動作が行われたことが、表示ＬＥＤを見なくとも確認出来る。この通電禁止時間Ｔ１を止水に要する時間ＴＳより長くすれば、より明確に切り替わりを確認出来る。
【００３９】
図６及び図７を用いて第２の実施形態の第１の変形例を説明する。図５にフローチャート、図７にタイミングチャートを示す。
【００４０】
図３のフローチャートの場合、通電禁止時間Ｔ１中に再度、湯水ＳＷ１０が押されると、図５のようなタイミングチャートとなる。押し間違いなどで素早くもとの水吐水に戻そうとしても、通電禁止時間Ｔ１のために吐水が一旦止まってしまい、使い勝手が非常に悪い。
【００４１】
そこで、図６のフローチャートでは止水時間タイマーを湯側電磁弁用と水側電磁弁用に分け（Ｓ１２１、Ｓ１２２、Ｓ１３１、Ｓ１４１）、どちらの電磁弁をＯＦＦしてどれだけ時間が経過したかが分かるようにする。そして、水の通電ＯＮ（Ｓ０３５）の前では、湯側電磁弁ＯＦＦからは１秒（Ｓ１３２）、同じ水の通電ＯＦＦからは０．５秒経過しているかをチェックし（Ｓ１３３）、それぞれ経過している場合に通電ＯＮを行う。これにより、水のＯＦＦから水のＯＮの場合の通電禁止時間Ｔ２は０．５秒と短くなり、図７の様に素早く反応出来、操作感を悪くしない。湯の場合も同様である。
【００４２】
なお、異種の電磁弁の場合の通電禁止時間Ｔ３は止水時間に対応して１秒としている。同種の電磁弁の場合の通電禁止時間Ｔ２は０．５秒としたのは、余り短いと、それもまた湯水ＳＷ１０の受け付けがわかりにくいためである。場合によっては０秒としても良い。
【００４３】
図８及び図９を用いて第２の実施形態の第２変形例を説明する。図８はフローチャート、図９はタイミングチャートを示す。図５で湯・水切り替え時の通電禁止時間を設けたが、通電禁止時間であることをＬＥＤによって表示することも可能である。
【００４４】
図８において、通電禁止時間Ｔ１で通電ＯＮが出来ない場合は、選択されている側のＬＥＤを点滅表示する（Ｓ１３４、Ｓ１４４）。これにより、図９の様に湯・水切り替え時の通電禁止時間Ｔ１中はＬＥＤが点滅するため、吐水の変化とともに湯・水の切り替え動作中であることが分かりやすい。
【００４５】
図１０及び図１１を用いて第２の実施形態の第３の変形例を説明する。図１０にフローチャート、図１１にタイミングチャートを示す。図８では通電禁止時間中をＬＥＤの点滅表示としたが、点滅周波数によっても表示可能である。図１０では、通電禁止時間中は４Ｈｚの点滅（Ｓ１３５、Ｓ１４５）、それ以外は２Ｈｚの点滅（Ｓ１２３、Ｓ１２４、Ｓ１３６、Ｓ１４６）によって表示する。ＬＥＤの点滅表示とすることで使用者の注意を引きやすく、更に周波数を変えることで図１１の様に通電禁止時間の表示が可能となる。
【００４６】
図１２及び図１３を用いて第２の実施形態の第４の変形例を説明する。図１２にフローチャート、図１３にタイミングチャートを示す。図１０では通電禁止時間中をＬＥＤの点滅周波数を変えたが、点滅デューティー比によっても表示可能である。図１２では、通電禁止時間Ｔ１中は１／４デューティーの点滅（Ｓ１３７、Ｓ１４７）、それ以外は１／２デューティーの点滅（Ｓ１２５、Ｓ１２６、Ｓ１３８、Ｓ１４８）によって表示する。ＬＥＤの点滅表示とすることで使用者の注意を引きやすく、更に点滅デューティー比を変えることで図１３の様に通電禁止時間の表示が可能となる。
【００４７】
図１４及び図１５を用いて第２の実施形態の第５の変形例を説明する。図１４にフローチャート、図１５にタイミングチャートを示す。
【００４８】
第２の実施形態の第１変形例乃至第３の変形例では通電禁止時間Ｔ１中であることをＬＥＤ表示によって行った。表示の違いの意味を知り、表示を見ながら操作する人にとっては有効である。しかし、表示を見ないまま、通電禁止時間終了を待てずに繰り返し湯水ＳＷ１０を押すと、不必要な吐水、止水が行われ、湯、水のどちらが吐水されているか分からなくなる恐れがある。広範囲な使用者の条件を考慮すると表示では不十分な場合もある。
【００４９】
図１４では図３のフローチャートに対して、湯水ＳＷ１０のチェック（Ｓ００１）の前に、止水時間のチェック（Ｓ１０１）を追加した。これにより、通電禁止時間Ｔ１中は湯・水の切り替えが出来なくなり、例えば図１５のように、湯水ＳＷ１０を余計に押して、意図に反して同じ吐水に戻してしまうような誤操作が防止出来る。
【００５０】
図１６乃至図２０を用いて第２の実施形態の第６の変形例を説明する。図１６に水栓装置の構成図、図１７に回路図、図１８にフローチャートを示す。水の給水路１１２に給水路内の圧力を検出する圧力検出手段として水圧センサ１３０を取り付け、その出力はマイコン２に入力される。
【００５１】
これまでの実施例では一律に通電禁止時間Ｔ１を設けた。しかし、湯側、水側電磁弁１０４、１０５の作動時間は、圧力差によって作動することから、水圧が高いほど作動時間は短く、逆に水圧が低いほど作動時間は長くなる。あらゆる設置条件でより無駄のない動作を行うために水圧を検出して通電禁止時間Ｔ１を設定する。
【００５２】
図１８において、電磁弁の通電ＯＦＦ直後、通電禁止時間の計測を始めるタイミングで水圧の測定を行う（Ｓ３２１、Ｓ３２３、Ｓ３３１、Ｓ３４１）。そして、水圧に応じて通電禁止時間Ｔ１を決定する（Ｓ３２２、Ｓ３２４、Ｓ３３２、Ｓ３４２）。通電禁止時間Ｔ１の設定はマイコンの演算やテーブル参照が一般的であるが、元になるデータは水栓装置での作動時間の実測をベースとすることになる。そして、それは水圧が高いほど通電禁止時間が短くなる傾向を持つ。
【００５３】
通電禁止時間Ｔ１を決定後、通電ＯＮの前に止水時間のチェックを行う（Ｓ１３２、Ｓ１４２）。これまでの実施例の様に一律の時間では無い。図１９に水圧が高い場合、図２０に水圧が低い場合のタイミングチャートを示す。水圧が高い場合は電磁弁の閉止時間が短くなるため、通電禁止時間Ｔ４が短く設定でき使い勝手が良くなる。
【００５４】
なお、水の給水路１１２に水圧センサ１３０を取り付けたのは、湯側の水圧は水側の水圧からある程度推定可能であるためである。水圧センサ１３０は、湯の給水路１１１でも、両方の給水路１１１、１１２に設けても良い。両方の給水路１１１、１１２に設ける場合は、水側、湯側それぞれの水圧に応じて、それぞれの電磁弁の止水時間を推定し、別々に通電禁止時間を設定することも可能となる。
【００５５】
図２１乃至図２５を用いて第２の実施形態の第７の変形例を説明する。図２１に水栓装置の構成図、図２２に回路図、図２３にフローチャートを示す。湯側、水側の電磁弁１０４、１０５の下流側に湯の給水路１１１と水の給水路１１２が合流する吐水部１１３が設けられ、この吐水部１１３に流量を検出する流量検出手段としての水流センサ１４０を取り付け、その出力はマイコン２に入力される。
【００５６】
図２１では、通電禁止時間を所定時間で制御するのではなく、流量を測定して通電禁止時間を制御する。電磁弁の通電ＯＮの前に吐水の流量を測定し（Ｓ２３１、Ｓ２４１）、所定値以下になっていれば（Ｓ２３２、Ｓ２４２）通電をＯＮする。水圧が高い場合（流量が多い場合）のタイミングチャートを図２４に、水圧が低い場合（流量が少ない場合）のタイミングチャートを図２５に示す。
【００５７】
流量を測定しながらの制御となるので、前述の実施例に対して複雑な制御となるが、あらゆる条件で飛び出しを防止出来る。
【図面の簡単な説明】
【図１】第１の実施形態の水栓装置の構成図。
【図２】第１の実施形態の水栓装置の動作と流量を示すタイミングチャート。
【図３】第２の実施形態の水栓装置の動作を示すフローチャート。
【図４】第２の実施形態の水栓装置の動作と流量を示すタイミングチャート。
【図５】第２の実施形態の水栓装置の動作と流量を示すタイミングチャート。
【図６】第２の実施形態の第１の変形例の水栓装置の動作を示すフローチャート。
【図７】第２の実施形態の第１の変形例の水栓装置の動作と流量を示すタイミングチャート。
【図８】第２の実施形態の第２の変形例の水栓装置の動作を示すフローチャート。
【図９】第２の実施形態の第２の変形例の水栓装置の動作と流量を示すタイミングチャート。
【図１０】第２の実施形態の第３の変形例の水栓装置の動作を示すフローチャート。
【図１１】第２の実施形態の第３の変形例の水栓装置の動作と流量を示すタイミングチャート。
【図１２】第２の実施形態の第４の変形例の水栓装置の動作を示すフローチャート。
【図１３】第２の実施形態の第４の変形例の水栓装置の動作と流量を示すタイミングチャート。
【図１４】第２の実施形態の第５の変形例の水栓装置の動作を示すフローチャート。
【図１５】第２の実施形態の第５の変形例の水栓装置の動作と流量を示すタイミングチャート。
【図１６】第２の実施形態の第６の変形例の水栓装置の構成図。
【図１７】第２の実施形態の第６の変形例の水栓装置の回路図。
【図１８】第２の実施形態の第６の変形例の水栓装置の動作を示すフローチャート。
【図１９】第２の実施形態の第６の変形例の水栓装置の動作と流量を示すタイミングチャート。
【図２０】第２の実施形態の第６の変形例の水栓装置の動作と流量を示すタイミングチャート。
【図２１】第２の実施形態の第７の変形例の水栓装置の構成図。
【図２２】第２の実施形態の第７の変形例の水栓装置の回路図。
【図２３】第２の実施形態の第７の変形例の水栓装置の動作を示すフローチャート。
【図２４】第２の実施形態の第７の変形例の水栓装置の動作と流量を示すタイミングチャート。
【図２５】第２の実施形態の第７の変形例の水栓装置の動作と流量を示すタイミングチャート。
【図２６】従来の水栓装置の構成図。
【図２７】従来の水栓装置の回路図。
【図２８】従来の水栓装置の動作を示すフローチャート。
【図２９】電磁弁の開閉動作を示すタイミングチャート。
【図３０】従来の水栓装置の動作と流量を示すタイミングチャート。
【符号の説明】
１０１  水栓本体
１０２  制御部
１０３  操作部
１０４、１０５  電磁弁
１０７  水側ＬＥＤ（発光手段）
１０８  湯側ＬＥＤ（発光手段）
１０９  吐水の開始．停止操作スイッチ
１１０  湯と水のモード切り替え操作スイッチ
１１１  湯の給水路
１１２  水の給水路
１１３  吐水部
１２０  定流量弁
１３０  水圧センサー（圧力検出手段）
１４０  流量センサー（流量検出手段）
【図１】
0003546916.tif 000002
【図２】
0003546916.tif 000003
【図３】
0003546916.tif 000004
【図４】
0003546916.tif 000005
【図５】
0003546916.tif 000006
【図６】
0003546916.tif 000007
【図７】
0003546916.tif 000008
【図９】
0003546916.tif 000009
【図８】
0003546916.tif 000010
【図１０】
0003546916.tif 000011
【図１１】
0003546916.tif 000012
【図１２】
0003546916.tif 000013
【図１３】
0003546916.tif 000014
【図１５】
0003546916.tif 000015
【図１４】
0003546916.tif 000016
【図１６】
0003546916.tif 000017
【図１７】
0003546916.tif 000018
【図１８】
0003546916.tif 000019
【図１９】
0003546916.tif 000020
【図２０】
0003546916.tif 000021
【図２１】
0003546916.tif 000022
【図２２】
0003546916.tif 000023
【図２３】
0003546916.tif 000024
【図２４】
0003546916.tif 000025
【図２５】
0003546916.tif 000026
【図２６】
0003546916.tif 000027
【図２７】
0003546916.tif 000028
【図２８】
0003546916.tif 000029
【図２９】
0003546916.tif 000030
【図３０】
0003546916.tif 000031